(57)【要約】  本発明は、バックプレーンに固定される第１コネクタと、ドーターボードに取り付けられる第２コネクタを備えるバックプレーン用光コネクタに関する。第１コネクタは、第１光入出力部、ガイド穴、シャッタを備える。シャッタは、ドーターボードが挿入されていないときには第１光入出力部を覆う板である。第２コネクタは、ガイドピン、押圧部、第２光入出力部を備える。ガイドピンは、ドーターボードを挿入する過程で、最初に第１コネクタと接触し、ガイド穴に挿入される。押圧部は、ガイドピンとガイド穴によって第２コネクタの自由度が制限された後に、シャッタを回転させる。押圧部と第２光入出力部との間には、回転したシャッタが入る隙間が存在する。押圧部は、ドーターボードを挿入する過程で、シャッタと接触するまでは第１コネクタには接触しない。
2014002572.tif 000002
【特許請求の範囲】
【請求項１】
バックプレーンに固定される第１コネクタと、
前記バックプレーンの面に対して垂直方向に挿抜可能なドーターボードのバックプレーン側に取り付けられる第２コネクタと
からなるバックプレーン用光コネクタであって、
前記ドーターボードの面に垂直な方向をＸ方向、前記ドーターボードの面にも前記バックプレーンの面にも平行な方向をＹ方向、前記バックプレーンの面と垂直な方向をＺ方向とし、
前記第２コネクタは、前記ドーターボードにＸ方向とＹ方向に自由度を有するように取り付けられるとし、
前記第１コネクタは、
光の入出射を行う第１光入出力部と、
Ｚ方向に開口された少なくとも２つのガイド穴と、
前記ドーターボードが挿入されていないときには前記第１光入出力部を覆う板であり、前記第１光入出力部よりもＸ方向にずれた位置に形成されたＹ方向の回転軸を中心として回転でき、前記回転軸が前記板の端ではない部分に位置しているシャッタと、
を備え、
前記第２コネクタは、
前記ドーターボードを挿入する過程で、最初に第１コネクタと接触する当該第２コネクタの部品であって、前記ガイド穴にそれぞれが挿入されるＺ方向に伸びた少なくとも２つのガイドピンと、
前記ドーターボードを挿入する過程で、前記ガイドピンと前記ガイド穴によって当該第２コネクタのＸ方向とＹ方向の自由度が制限された後に、前記シャッタの前記回転軸に対して前記第１光入出力部を覆う部分と反対側の部分を押すことで前記シャッタを回転させる押圧部と
前記ドーターボードを完全に挿入したときに前記第１光入出力部と光学的に接続される第２光入出力部と、
を備え
前記押圧部と前記第２光入出力部との間には、前記押圧部によって回転した前記シャッタが入る隙間が存在し、
前記押圧部は、前記ドーターボードを挿入する過程で、前記シャッタと接触するまでは前記第１コネクタには接触しない
ことを特徴とするバックプレーン用光コネクタ。
【請求項２】
請求項１記載のバックプレーン用光コネクタであって、
前記押圧部は、前記第２光入出力部よりも前記シャッタのＸ方向の長さ程度、前記第１コネクタ側に突出している
ことを特徴とするバックプレーン用光コネクタ。
【請求項３】
請求項１または２記載のバックプレーン用光コネクタであって、
前記ガイドピンは、前記押圧部と同じだけ前記第２光入出力部よりも前記第１コネクタ側に突出しており、
前記ガイド穴は、前記第２コネクタのＸ方向とＹ方向の自由度を制限するために前記ガイドピンが前記ガイド穴に挿入される必要な長さ以上、前記シャッタよりも前記第２コネクタ側に突出している
ことを特徴とするバックプレーン用光コネクタ。
【発明の詳細な説明】
【技術分野】
【０００１】
本発明は、バックプレーンに固定される第１コネクタと、バックプレーンの面に対して垂直方向に挿抜可能なドーターボードに取り付けられる第２コネクタとからなるバックプレーン用光コネクタに関する。
【背景技術】
【０００２】
複数のドーターボードを接続できるバックプレーン（マザーボード）をあらかじめ装置（例えば通信装置）に取り付けておき、需要が生じたときに必要な数のドーターボードをバックプレーンの面に対して垂直方向に挿抜する技術が存在する。この技術では、ドーターボードを挿入する時には、作業者はドーターボードのバックプレーンから遠い方の端を把持して、ドーターボードを挿入する。そして、ドーターボードのバックプレート側に取り付けられた付けられたコネクタと、バックプレーンに取り付けられたコネクタとが接続される。【０００３】
バックプレーン用光コネクタの場合、作業者はコネクタ自体を把持できないので、作業者がコネクタ同士の位置合わせを正確に行うことはできない。また、バックプレーンは設備投資時に設置し、ドーターボードは必要な時に挿入するので、ドーターボードの挿入時までにバックプレーンの露出している部分に汚れが付着している可能性がある。しかし、バックプレーンは作業者から見て装置の奥に配置されているので、設置後にバックプレーンを清掃することは難しい。【０００４】
このような条件で使用されるバックプレーン用光コネクタとしては、特許文献１が知られている。図８Ａ，図８Ｂに特許文献１のバックプレーン用光コネクタの構成の概要を示す。まず、ドーターボードの面に垂直な方向をＸ方向、ドーターボードの面にもバックプレーンの面にも平行な方向をＹ方向、バックプレーンの面と垂直な方向をＺ方向とする。特許文献１のバックプレーン用光コネクタ９００は、バックプレーンに取り付けられる第１コネクタ９１０、ドーターボードに取り付けられる第２コネクタ９２０、バックプレーンに取り付けられて第１コネクタ９１０を覆うカバー９３０とシャッタ９４０、シャッタ９４０が回転する回転軸９５０を有する。図８Ａは、ドーターボードを挿入する過程で、第２コネクタ９２０が第１コネクタ９１０に接近している状態を示している。また、図８Ｂは、第１コネクタ９１０の第１光入出力部９１０１と第２コネクタ９２０の第２光入出力部９２０１とが接触し、光学的に接続された状態を示している。バックプレーン用光コネクタ９００は、第１コネクタ９１０の第１光入出力部９１０１の汚れを防ぐために、カバー９３０とシャッタ９４０を備えている。ドーターボードが挿入されるときには、第２コネクタ９２０が押すことでシャッタ９４０が開き、第１光入出力部９１０１と第２光入出力部９２０１とが接触する。なお、図８Ａ，図８Ｂには図示していないが、第１コネクタ９１０はフローティング構造を用いてマザーボードに取り付けられており、Ｘ方向とＹ方向に自由度を有する。つまり、第１コネクタ９１０は、Ｘ方向とＹ方向にはある程度移動できる構造である。そして、ドーターボードを挿入する際にガイドによって第１コネクタ９１０と第２コネクタ９２０とのＸ方向とＹ方向の位置が調整される。【０００５】
また、バックプレーン用ではないが、汚れ対策のためにシャッタを備えた光コネクタとして特許文献２の技術も知られている。図９Ａ〜図９Ｄは、特許文献２に示された光コネクタの構成とシャッタの動きを示す図である。なお、特許文献２には、第１コネクタにも第２コネクタにもシャッタが備えられているが、本件発明に関係する部分を簡潔に説明するために、図９Ａ〜図９Ｄには第１コネクタのシャッタだけを示している。特許文献２の光コネクタ９０５は、第１光入出力部９１５１を有する第１コネクタ９１５、第２光入出力部９２５１を有する第２コネクタ９２０、第１コネクタ側のシャッタ開閉補助手段９３５、シャッタ９４５、シャッタ９４５が回転する回転軸９５５、第２コネクタ側の押圧片９２６を有する。【０００６】
図９Ａは、第２コネクタ９２５が第１コネクタ９１５に接近している状態を示している。図９Ｂは、押圧片９２６がシャッタ開閉補助手段９３５の内側に挿入されて第１コネクタ９１５と第２コネクタ９２５の位置関係が決まり、さらに、押圧片９２６がシャッタ９４５のＰ部分を押したことでシャッタ９４５を開いた状態を示している。図９Ｃは、第１コネクタ９１５の第１光入出力部９１５１と第２コネクタ９２５の第２光入出力部９２５１とが接触し、光学的に接続された状態を示している。なお、第２コネクタ９２５側のシャッタ（図示していない）は、回転後のシャッタ９４５によって押され、同じように開く。
【先行技術文献】
【特許文献】
【０００７】
【特許文献１】特開２００１−２２８３６９号公報
【特許文献２】特開２００４−２４０１６２号公報
【発明の概要】
【発明が解決しようとする課題】
【０００８】
しかしながら、特許文献１の技術も特許文献２の技術も第２光入出力部の進路に汚れが散乱するという課題がある。この課題を、図１０Ａ，図１０Ｂ，図１１Ａ，図１１Ｂを用いて説明する。図１０Ａ，図１０Ｂは特許文献１のバックプレーン用光コネクタの課題を説明する図、図１１Ａ，図１１Ｂは特許文献２の光コネクタの課題を説明する図である。図１０Ａは、シャッタ９４０の外側の面に汚れ９９９が付着した状態を示している。図１０Ｂは、第２コネクタ９２０が挿入する過程でシャッタ９４０に付着した汚れ９９９をまき散らしてしまう様子を示している。特許文献１の技術の場合、シャッタ９４０の汚れた面が第１光入出力部９１０１や第２光入出力部９２０１側に向いた状態で開くこと、第２コネクタ９２０が汚れた面に接触しながら第１コネクタ９１０に近づいていくことから、第２光入出力部９２０１の進路に汚れが散乱する。したがって、特許文献１のバックプレーン用光コネクタでは、第１光入出力部や第２光入出力部が汚れてしまう可能性がある。【０００９】
図１１Ａは、シャッタ９４５の外側とシャッタ開閉補助手段９３５の内側に汚れが付着した状態を示している。図１１Ｂは、シャッタ開閉補助手段９３５の内側に付着した汚れ９９９をまき散らしてしまう様子を示している。特許文献２の技術の場合、シャッタ９４５は、汚れた面が第１光入出力部９１５１や第２光入出力部９２５１側の反対側に向いた状態で開く。しかし、シャッタ開閉補助手段９３５の内側が汚れている場合、押圧片９２６がシャッタ開閉補助手段９３５の内側に接触しながらシャッタ９４５に近づいていくので、第２光入出力部９２５１の進路に汚れが散乱する。したがって、特許文献２の光コネクタの構造をバックプレーン用に適用したとしても、第１光入出力部や第２光入出力部が汚れてしまう可能性がある。【００１０】
本発明は、このような状況を鑑みてなされたものであり、第１光入出力部や第２光入出力部が汚れないバックプレーン用光コネクタを提供することを目的とする。
【課題を解決するための手段】
【００１１】
本発明のバックプレーン用光コネクタは、バックプレーンに固定される第１コネクタと、バックプレーンの面に対して垂直方向に挿抜可能なドーターボードのバックプレーン側に取り付けられる第２コネクタとからなる。ここで、ドーターボードの面に垂直な方向をＸ方向、ドーターボードの面にもバックプレーンの面にも平行な方向をＹ方向、バックプレーンの面と垂直な方向をＺ方向とする。また、第２コネクタは、ドーターボードにＸ方向とＹ方向に自由度を有するように取り付けられるとする。【００１２】
第１コネクタは、光の入出射を行う第１光入出力部と、Ｚ方向に開口された少なくとも２つのガイド穴と、シャッタとを備える。シャッタは、ドーターボードが挿入されていないときには第１光入出力部を覆う板であり、第１光入出力部よりもＸ方向にずれた位置に形成されたＹ方向の回転軸を中心として回転できる。そして、回転軸が板の端ではない部分に位置している。【００１３】
第２コネクタは、Ｚ方向に伸びた少なくとも２つのガイドピンと、押圧部と、第２光入出力部とを備える。ガイドピンは、ドーターボードを挿入する過程で、最初に第１コネクタと接触する第２コネクタの部品であって、ガイド穴にそれぞれが挿入される。押圧部は、ドーターボードを挿入する過程で、ガイドピンとガイド穴によって第２コネクタのＸ方向とＹ方向の自由度が制限された後に、シャッタの回転軸に対して第１光入出力部を覆う部分と反対側の部分を押すことでシャッタを回転させる。第２光入出力部は、ドーターボードを完全に挿入したときに第１光入出力部と光学的に接続される。そして、押圧部と第２光入出力部との間には、押圧部によって回転したシャッタが入る隙間が存在する。また、押圧部は、ドーターボードを挿入する過程で、シャッタと接触するまでは第１コネクタには接触しない。【００１４】
また、押圧部を、第２光入出力部よりもシャッタのＸ方向の長さ程度、第１コネクタ側に突出させてもよい。さらには、ガイドピンを、押圧部と同じだけ第２光入出力部よりも第１コネクタ側に突出させ、ガイド穴を、第２コネクタのＸ方向とＹ方向の自由度を制限するためにガイドピンがガイド穴に挿入される必要な長さ以上、シャッタよりも第２コネクタ側に突出させてもよい。
【発明の効果】
【００１５】
本発明のバックプレーン用光コネクタでは、第２コネクタが第１コネクタの方向に進むときに接触するのは、ガイド穴の内側とガイドピン、および押圧部とシャッタである。そして、ガイド穴の内側の汚れはとガイド穴の内側にしか拡散しない。また、シャッタは、汚れた面が第１光入出力部や第２光入出力部の反対方向に向くように回転する。したがって、本発明のバックプレーン用光コネクタによれば、第１コネクタに付着した汚れが第２光入出力部の進路に散乱することがない。
【図面の簡単な説明】
【００１６】
【図１】バックプレーンとドーターボードの関係を示す図。
【図２】本発明のバックプレーン用光コネクタの機能概要を示す図であり、図２Ａは、第１コネクタ１０１と第２コネクタ１０２が分離した状態を示す図である。図２Ｂは、ガイドピン１２１がガイド穴１３１に挿入された状態を示す図である。図２Ｃは、押圧部１２６がシャッタ１４０を回転させた状態を示す図である。図２Ｄは、第１コネクタ１０１と第２コネクタ１０２が接続された状態を示す図である。
【図３】本発明のバックプレーン用光コネクタが課題を解決していることを説明するための図であり、図３Ａは、第２コネクタ１０２が第１コネクタ１０１に接触する前の状態を示す図である。図３Ｂは、ガイドピン１２１がガイド穴１３１に挿入された状態を示す図である。図３Ｃは、シャッタ１４０が押圧部１２６に押されて回転した状態を示す図である。
【図４】本発明のバックプレーン用光コネクタの具体例を示す斜視図。
【図５】図４のＡの部分を拡大した図。
【図６】本発明のバックプレーン用光コネクタを、２つの棒１６２の軸を通る面で切断したときの断面図。
【図７】図４に示したバックプレーン用光コネクタの具体例の異なる状態での斜視図であり、図７Ａは、ガイドピン１２１がガイド穴１３１に挿入され始めた状態を示す図である。図７Ｂは、押圧部１２６がシャッタ１４０を回転させている状態を示す図である。
【図８】特許文献１のバックプレーン用光コネクタの構成の概要を示す図であり、図８Ａは、バックプレーン用光コネクタのドーターボードを挿入する過程で、第２コネクタ９２０が第１コネクタ９１０に接近している状態を示す図である。図８Ｂは、バックプレーン用光コネクタの第１コネクタ９１０の第１光入出力部９１０１と第２コネクタ９２０の第２光入出力部９２０１とが接触し、光学的に接続された状態を示す図である。
【図９】特許文献２に示された光コネクタの構成とシャッタの動きを示す図であり、図９Ａは、第２コネクタ９２５が第１コネクタ９１５に接近している状態を示す図である。図９Ｂは、押圧片９２６がシャッタ開閉補助手段９３５の内側に挿入されて第１コネクタ９１５と第２コネクタ９２５の位置関係が決まり、さらに、押圧片９２６がシャッタ９４５のＰ部分を押したことでシャッタ９４５を開いた状態を示す図である。図９Ｃは、第１コネクタ９１５の第１光入出力部９１５１と第２コネクタ９２５の第２光入出力部９２５１とが接触し、光学的に接続された状態を示す図である。
【図１０】特許文献１のバックプレーン用光コネクタの課題を説明する図であり、図１０Ａは、シャッタ９４０の外側の面に汚れ９９９が付着した状態を示す図である。図１０Ｂは、第２コネクタ９２０が挿入する過程でシャッタ９４０に付着した汚れ９９９をまき散らしてしまう様子を示す図である。
【図１１】特許文献２の光コネクタの課題を説明する図であり、図１１Ａは、シャッタ９４５の外側とシャッタ開閉補助手段９３５の内側に汚れが付着した状態を示す図である。図１１Ｂは、シャッタ開閉補助手段９３５の内側に付着した汚れ９９９をまき散らしてしまう様子を示す図である。
【発明を実施するための形態】
【００１７】
以下、本発明の実施の形態について、詳細に説明する。なお、同じ機能を有する構成部には同じ番号を付し、重複説明を省略する。
【実施例１】
【００１８】
＜構成の概要＞
図１にバックプレーン２０とドーターボード３０の関係を示す。装置１０の背面にはバックプレーン２０（マザーボード）が備えられている。バックプレーン２０は、回路（図示していない）や複数の第１コネクタ１０１を備えており、複数のドーターボード３０を接続できる。ドーターボード３０は第２コネクタ１０２を有しており、バックプレーン２０の面に対して垂直方向に挿抜する。ここで、ドーターボード３０の面に垂直な方向をＸ方向、ドーターボード３０の面にもバックプレーン２０の面にも平行な方向をＹ方向、バックプレーン２０の面と垂直な方向をＺ方向とする。【００１９】
図２Ａ〜図２Ｄに本発明のバックプレーン用光コネクタ１００の機能概要を示す。図２Ａは、第１コネクタ１０１と第２コネクタ１０２が分離した状態を示す図である。図２Ｂは、ガイドピン１２１がガイド穴１３１に挿入された状態を示す図である。図２Ｃは、押圧部１２６がシャッタ１４０を回転させた状態を示す図である。図２Ｄは、第１コネクタ１０１と第２コネクタ１０２が接続された状態を示す図である。【００２０】
本発明のバックプレーン用光コネクタ１００は、バックプレーン２０に固定される第１コネクタ１０１と、バックプレーン２０の面に対して垂直方向に挿抜可能なドーターボード３０のバックプレーン２０側に取り付けられる第２コネクタ１０２からなる。なお、第２コネクタ１０２は、ドーターボード３０にＸ方向とＹ方向に自由度を有するように取り付けられるとする。例えば、断面が長円形の穴，長めの棒、ツバなどを用いてＸ方向とＹ方向の自由度を確保すればよい。【００２１】
第１コネクタ１０１は、光部品１１０の１つの端面であって光の入出射を行う第１光入出力部１１０１と、少なくとも２つのガイド穴１３１と、シャッタ１４０とを備える。第１光入出力部１１０１は、例えばＺ方向に光の入出射を行えばよいが、Ｚ方向から傾いた方向でもよい。シャッタ１４０は、ドーターボード３０が挿入されていないときには第１光入出力部１１０１を覆う板であり、第１光入出力部１１０１よりもＸ方向にずれた位置に形成されたＹ方向の回転軸１５０を中心として回転できる。例えば、外力が加わっていないときには、シャッタ１４０は、バネなどを用いて、第１光入出力部１１０１を覆う方向に回転するようにしておけばよい。そして、回転軸１５０は板（シャッタ１４０）の端ではない部分に位置している。ガイド穴１３１は、ガイド部１３０に形成されたＺ方向に開口した穴である。【００２２】
第２コネクタ１０２は、Ｚ方向に伸びた少なくとも２つのガイドピン１２１と、押圧部１２６と、光部品１２０の１つの端面であって光の入出射を行う第２光入出力部１２０１とを備える。第２光入出力部１２０１は、例えばＺ方向に光の入出射を行えばよいが、第１光入出力部１１０１との間で光学的に結合できるようになっていれば、Ｚ方向から傾いた方向でもよい。また、押圧部１２６と第２光入出力部１２０１との間には、押圧部１２６によって回転したシャッタ１４０（図２Ａの点線で示した１４０’が回転したシャッタ１４０に相当する）が入る隙間１２９が存在する。ガイドピン１２１は、ドーターボード３０を挿入する過程で、最初に第１コネクタ１０１と接触する第２コネクタ１０２の部品であって、ガイド穴１３１にそれぞれが挿入される。ガイドピン１２１とガイド穴１３１がそれぞれ２つ以上存在することで、第２コネクタ１０２のＸ方向とＹ方向の自由度を制限できる（図２Ｂ参照）。【００２３】
その後、押圧部１２６は、シャッタ１４０の回転軸１５０に対して第１光入出力部１１０１を覆う部分と反対側の部分（つまり、図２Ａの点Ｐの部分）を押すことでシャッタ１４０を回転させる（図２Ｃ参照）。なお、押圧部１２６は、ドーターボード３０を挿入する過程で、シャッタ１４０と接触するまでは第１コネクタ１０１のどの部品にも接触しない。また、ドーターボード３０を挿入する過程で、ガイドピン１２１とガイド穴１３１によって第２コネクタ１０２のＸ方向とＹ方向の自由度が制限された後なので、押圧部１２６のＸ方向とＹ方向の位置は機械的な動作には十分な精度で決まっている。つまり、シャッタ１４０の大きさを決めるときにフローティング構造であることを考慮する必要がないので、シャッタ１４０を小さくできる。この点は、特許文献１との大きな違いである。特許文献１の場合、第２コネクタ９２０がシャッタ９４０を押すときには、まだ第１コネクタ９１０のＸ方向とＹ方向は制限されていないので、第２コネクタ９２０がシャッタ９４０を押す位置は変動する。したがって、特許文献１のバックプレーン用光コネクタでは、シャッタ９４０をある程度大きくせざるを得ない。【００２４】
さらに第２コネクタ１０２が挿入されると、押圧部１２６によって回転したシャッタ１４０（図２Ａの点線で示した１４０’が回転したシャッタ１４０に相当する）は隙間１２９に入っていく。そして、第２光入出力部１２０１は、ドーターボード３０を完全に挿入したときに第１光入出力部１１０１と光学的に接続される（図２Ｄ参照）。【００２５】
なお、図２Ａ〜図２Ｄでは、機能の概要を説明しやすいように、ガイドピン１２１とガイド穴１３１を、光部品１１０，１２０に対して押圧部１２６や回転軸１５０の反対側に配置している。しかし、この位置に限定する必要はない。ガイドピン１２１とガイド穴１３１を光部品１１０，１２０からＹ方向にずらした位置に配置してもよいし、他の位置でもよい。少なくとも２つのガイドピン１２１とガイド穴１３１を備えれば、第２コネクタ１０２のＸ方向とＹ方向の自由度を制限できるので、ガイドピン１２１とガイド穴１３１の位置は自由に決めればよい。【００２６】
図２Ａ〜図２Ｄの例では、シャッタ１４０のＸ方向の長さは、第１光入出力部１１０１のＸ方向の長さと、隙間１２９のＸ方向の長さと、押圧部１２６のＸ方向の長さ（厚み）の合計と同じ程度にしている。このような寸法にすれば、シャッタのＸ方向の長さを短くできるので、バックプレーン２０に挿入するドーターボード３０同士の間隔を狭くできる。しかし、この長さに限定する必要はなく、ドーターボード３０同士の間隔を広げなければならない他の要因がある場合には、シャッタ１４０のＸ方向の長さを長くしても不利益は生じない。なお、「程度」とは、製造上などの誤差を許容する意味で用いている。また、図２Ａ〜図２Ｄの例では、押圧部１２６は、第２光入出力部１２０１よりもシャッタ１４０のＸ方向の長さ程度、第１コネクタ１０１側に突出している。したがって、シャッタ１４０の第１光入出力部１１０１を覆っている部分が回転しても、シャッタ１４０が第２光入出力部１２０１にぶつからないようにしながら、第２コネクタのＺ方向の長さを短くしている。【００２７】
また、図２Ａ〜図２Ｄの例では、ガイドピン１２１は、押圧部１２６と同じだけ第２光入出力部１２０１よりも第１コネクタ１０１側に突出している。また、ガイド穴１３１は、第２コネクタ１０２のＸ方向とＹ方向の自由度を制限するためにガイドピン１２１がガイド穴１３１に挿入される必要な長さ以上、シャッタ１４０よりも第２コネクタ１０２側に突出している。したがって、ガイドピン１２１のために第２コネクタのＺ方向の大きさを大きくする必要がなく、かつ、第２コネクタ１０２のＸ方向とＹ方向の自由度を制限した後でシャッタ１４０を回転させることができる。【００２８】
＜課題を解決できる理由＞
図３Ａ〜図３Ｃは、本発明のバックプレーン用光コネクタ１００が課題を解決していることを説明するための図である。図３Ａ〜図３Ｃでは、説明に関係する部分には汚れ９９９を示している。なお、説明に関係ないので図示していないが、第１コネクタ１０１の外周部分には同じように汚れが付着している。図３Ａは、第２コネクタ１０２が第１コネクタ１０１に接触する前の状態を示す図である。図３Ｂは、ガイドピン１２１がガイド穴１３１に挿入された状態を示す図である。図３Ｃは、シャッタ１４０が押圧部１２６に押されて回転した状態を示す図である。【００２９】
図３Ｂ，図３Ｃから分かるように、ガイド穴１３１の内周の汚れ９９９は、ガイドピン１２１によって剥ぎ取られ、散乱する。しかし、散乱されるのはガイド穴１３１の内部だけである。また、図３Ｃから分かるように、シャッタ１４０の外面にも汚れ９９９が付着する。この汚れ９９９は、押圧部１２６によって剥ぎ取られ、散乱する。しかし、汚れ９９９は、第２光入出力部１２０１の進路の方向には散乱しない。また、押圧部１２６は、ドーターボード３０を挿入する過程で、シャッタ１４０と接触するまでは第１コネクタ１０１のどの部品とも接触しないので、シャッタ１４０の汚れ以外の汚れを散乱させることはない。したがって、本発明のバックプレーン用光コネクタによれば、第１光入出力部１１０１や第２光入出力部１２０１が汚れてしまうリスクがない。【００３０】
＜具体例＞
図４は、本発明のバックプレーン用光コネクタの具体例を示す斜視図である。第１コネクタ１０１は、光部品１１０−１と、２つのガイド穴１３１を有するガイド部１３０と、シャッタ１４０と、回転軸１５０を備えている。この図では見えないが、光部品１１０−１は光部品固定部１９０−１に固定されており、光部品１１０−１の第１光入出力部１１０１はシャッタ１４０によって覆われている。第２コネクタ１０２は、２つのガイドピン１２１と、押圧部１２６と、光部品固定部１７０−１，…，４と、光部品１２０−１と、棒１６２と、ツバ１６３と、穴１６６を備える。この例では、光部品固定部１７０−２，３，４には光部品は固定されていない。また、第１コネクタ１０１は、光部品固定部１７０−２，３，４に対向する部分に、光部品固定部１９０−２，３，４も備えている（見えない部分なので図示されていない）。なお、図４の具体例では、ガイドピン１２１とガイド穴１３１は、光部品１１０−１，１２０−１とは、Ｙ方向（ドーターボードの面と平行な方向）にずれた位置に配置されている。【００３１】
図５は、図４のＡの部分を拡大した図であり、第２コネクタのフローティング機構を説明する拡大図である。図６は、２つの棒１６２の軸を通る面で切断したときの断面図である。第２コネクタ１０２のフローティング機構は、棒１６２とツバ１６３と穴１６６で構成される。穴１６６は、Ｙ方向の方がＺ方向よりも長い長円形の穴である。棒１６２は、直径が穴１６６のＺ方向の長さより少し短い円形の棒であり、穴１６６を貫通している。棒１６２の直径と穴１６６のＺ方向の長さの差は、製造上の誤差の範囲とすればよい。また、棒１６２の直径と穴１６６のＹ方向の長さの差が、第２コネクタ１０２のＹ方向の自由度（Ｙ方向にフローティングできる長さ）である。ツバ１６３は、棒１６２に穴１６６のＸ方向の長さよりも間隔が広くなるように取り付けられている。ツバ１６３の間隔と穴のＸ方向の長さの差が、第２コネクタ１０２のＸ方向の自由度（Ｘ方向にフローティングできる長さ）である。そして、棒１６２をドーターボード３０の面に垂直になるように固定すれば、第２コネクタ１０２は、Ｘ方向とＹ方向に自由度を持つようにドーターボード３０に取り付けることができる。なお、Ｘ方向とＹ方向の自由度は、バックプレーン２０やドーターボード３０などの製造や組立ての誤差などを考慮して適宜決めればよい。【００３２】
図７Ａ，図７Ｂは、図４に示したバックプレーン用光コネクタの具体例の異なる状態での斜視図である。図７Ａはガイドピン１２１がガイド穴１３１に挿入され始めた状態を示す図である。図７Ｂは押圧部１２６がシャッタ１４０を回転させている状態を示す図である。このように、図４に示した具体例でも本発明の効果が得られる。また、上述のように、第１光入出力部と第２光入出力部に対するガイド穴とガイドピンの位置関係は変更してもかまわない。
【符号の説明】
【００３３】
１０  装置                            ２０  バックプレーン
３０  ドーターボード
１００、９００  バックプレーン用光コネクタ
１０１、９１０、９１５  第１コネクタ
１０２、９２０、９２５  第２コネクタ
１１０、１２０  光部品
１１０１、９１０１、９１５１  第１光入出力部１２０１、９２０１、９２５１  第２光入出力部
１２１  ガイドピン                    １２６  押圧部
１２９  隙間                          １３０  ガイド部
１３１  ガイド穴                      １４０、９４０、９４５  シャッタ
１５０、９５０、９５５  回転軸        １６２  棒
１６３  ツバ                          １６６  穴
１７０、１９０  光部品固定部          ９０５  光コネクタ
９２６  押圧片                        ９３０  カバー
９３５  シャッタ開閉補助手段
【図１】
2014002572.tif 000003
【図２】
2014002572.tif 000004
【図３】
2014002572.tif 000005
【図４】
2014002572.tif 000006
【図５】
2014002572.tif 000007
【図６】
2014002572.tif 000008
【図７】
2014002572.tif 000009
【図８】
2014002572.tif 000010
【図９】
2014002572.tif 000011
【図１０】
2014002572.tif 000012
【図１１】
2014002572.tif 000013
【国際調査報告】
2014002572.tif 000014
2014002572.tif 000015
2014002572.tif 000016
2014002572.tif 000017